(57)【要約】【課題】標準の形状及び／又はサイズシステムに従って形成されるが、同一の形状及び／又はサイズグループ内で得られる所望の形状及び／又はサイズへの支持作用をもたらすことができる衣料品を提供する。【解決手段】衣料品は、衣料品上の種々の場所に且つ衣料品の一部分として形成された伸縮性に乏しいコンポーネントを有し、伸縮性に乏しいコンポーネントは、衣料品の一部の弾性よりも低い弾性を有する。【選択図】図１
2015063775.tif 000002
【特許請求の範囲】
【請求項１】
衣料品であって、前記衣料品上の種々の場所に且つ前記衣料品の一部分として形成された伸縮性に乏しいコンポーネントを有する衣料品において、前記伸縮性に乏しいコンポーネントは、前記衣料品の一部の弾性よりも低い弾性を有する、衣料品。
【請求項２】
前記伸縮性に乏しいコンポーネントは、非伸縮性である、請求項１記載の衣料品。
【請求項３】
前記伸縮性に乏しいコンポーネントは、前記衣料品を構成する布上にスクリーン印刷されている、請求項１又は２記載の衣料品。
【請求項４】
前記伸縮性に乏しいコンポーネントは、前記衣料品を構成する布上に塗布されたグルーの膜である、請求項１又は２記載の衣料品。
【請求項５】
ブラジャーカップであって、
ユーザの乳房のための所定の形状を備えた付形区分と、
前記付形区分に接合され又は前記付形区分上に形成された伸縮性に乏しいコンポーネントとを有し、
前記伸縮性に乏しいコンポーネントは、前記付形区分の弾性よりも低い弾性を有する、ブラジャーカップ。
【請求項６】
前記伸縮性に乏しいコンポーネントは、非伸縮性である、請求項５記載のブラジャーカップ。
【請求項７】
前記伸縮性に乏しいコンポーネントは、前記付形区分を構成する布上にスクリーン印刷されている、請求項５又は６記載のブラジャーカップ。
【請求項８】
前記伸縮性に乏しいコンポーネントは、前記ブラジャーカップの内側層上にスクリーン印刷されている、請求項５〜７のうちいずれか一に記載のブラジャーカップ。
【請求項９】
前記伸縮性に乏しいコンポーネントは、前記ブラジャーカップの外側層上にスクリーン印刷されている、請求項５〜７のうちいずれか一に記載のブラジャーカップ。
【請求項１０】
前記伸縮性に乏しいコンポーネントは、前記付形区分を構成する布上に塗布されたグルーの膜である、請求項５又は６記載のブラジャーカップ。
【請求項１１】
前記伸縮性に乏しいコンポーネントは、前記ブラジャーカップの内側層上に塗布されたグルーの膜である、請求項５、６又は１０記載のブラジャーカップ。
【請求項１２】
前記伸縮性に乏しいコンポーネントは、前記ブラジャーカップの外側層上に塗布されたグルーの膜である、請求項５、６又は１０記載のブラジャーカップ。
【請求項１３】
前記付形区分は、所定の伸縮性を有する、請求項５〜１２のうちいずれか一に記載のブラジャーカップ。
【請求項１４】
前記付形区分は、パッド付きであり又は成形されている、請求項５〜１３のうちいずれか一に記載のブラジャーカップ。
【請求項１５】
ブラジャーであって、
２つのブラジャーカップと、
前記ブラジャーカップをユーザに当てた状態で支持するブラジャーウイングと、
前記ブラジャーカップ上及び／又は前記ブラジャーウイング上に設けられた少なくとも１つの伸縮性に乏しいコンポーネントとを有する、ブラジャー。
【請求項１６】
前記伸縮性に乏しいコンポーネントは、前記ブラジャーカップ及び／又は前記ブラジャーウイングの弾性よりも低い弾性を有する、請求項１５記載のブラジャー。
【請求項１７】
伸縮性に乏しいコンポーネントが設けられたブラジャー部分を製造する方法であって、
（ａ）前記伸縮性に乏しいコンポーネントのパターンのアートワークをデザインして所定の支持体を提供するステップと、
（ｂ）前記アートワークに従ってスクリーン印刷用スクリーンを製作するステップと、
（ｃ）媒体としてポリマー樹脂を提供してあらかじめデザインされているスクリーン印刷パターンを布上にプリントアウトするステップと、
（ｄ）前記あらかじめデザインされているスクリーン印刷パターンを用いて前記布を裁断し、それにより前記ブラジャー部分を形成するステップとを有する、方法。
【発明の詳細な説明】
【技術分野】
【０００１】
本発明は、一般に、快適さ、支持具合及び／又は柔軟性の向上をユーザに提供するよう形成された衣料品に関する。特に、本発明は、ユーザの様々な形状及び／又はサイズの身体部分に対応するよう伸縮性のあるフィット感をもたらすと同時に身体の所望の部分に対して十分な支持作用を提供すると共に所望の形状を維持する個人向け衣料品、例えばブラジャー、パンティー及びコルセットに関する。
【発明の概要】
【発明が解決しようとする課題】
【０００２】
本発明の目的は、標準の形状及び／又はサイズシステムに従って形成されるが、同一の形状及び／又はサイズグループ内で得られる所望の形状及び／又はサイズへの支持作用をもたらすことができる衣料品を提供することにある。特に、本発明の目的は、ブラジャーが使用中にあるときにユーザの乳房の所望の形状を維持するための支持手段となることができるブラジャーを提供することにある。
【課題を解決するための手段】
【０００３】
本発明は、一般に、ユーザに追加の支持作用及び／又は柔軟性を提供することができる衣料品に関する。例えば、衣料品は、その種々の場所に且つその一部分として形成された伸縮性に乏しいコンポーネントを有する場合がある。ブラジャーの場合、伸縮性に乏しいコンポーネントは、ブラジャーが引き伸ばされたときにブラジャーを拡張させ又はその形状を所定の形状に変化させることができるだけであってブラジャーの形崩れを防ぎ、かくして所望の支持作用を乳房に提供すると共に乳房の所望の形状を維持する。例えば、伸縮性に乏しいコンポーネントは、例えば着用者が種々の身体活動の際に自分の身体を曲げたときにブラジャーが着用者の変化している身体の形状及び／又はサイズに実質的に適合しないようにする場合がある。引張り力をいったん除くと、伸縮性に乏しいコンポーネントは、縮んで当初の形状及び／又はサイズに戻ることができる。伸縮性に乏しいコンポーネントを弾性に乏しい材料、例えばポリマー樹脂（これには限定されない）で作るのが良い。伸縮性に乏しいコンポーネントをスクリーン印刷により又はグルーの膜（フィルム）を塗布することによって布（ファブリック）上に形成するのが良い。伸縮性に乏しいコンポーネントのパターンは、あらかじめデザインされている。
【０００４】
本明細書において、ブラジャーカップであって、ユーザの乳房のための所定の形状を備えると共に乳房付形機能として役立つ付形区分と、付形区分に接合され又は付形区分上に形成された伸縮性に乏しいコンポーネントとを有するブラジャーカップが提供される。伸縮性に乏しいコンポーネントは、付形区分の弾性よりも低い弾性を有し、伸縮性に乏しいコンポーネントは、付形区分が所望の形状を維持してその乳房付形機能を実行することができるようブラジャーカップの一部の拡張を制限する。
【０００５】
好ましくは、伸縮性に乏しいコンポーネントは、非伸縮性である。
【０００６】
伸縮性に乏しいコンポーネントは、付形区分を構成する布上にスクリーン印刷されていることが好ましい。
【０００７】
代替的に又は追加的に、伸縮性に乏しいコンポーネントは、付形区分を構成する布上に塗布されたグルーの膜であっても良い。
【０００８】
伸縮性に乏しいコンポーネントは、ブラジャーカップの内側層又は外側層上に設けられるのが良い。
【０００９】
好ましくは、付形区分は、所定の伸縮性を有する。
【００１０】
オプションとして、付形区分は、パッド付きであり又は成形されている。
【００１１】
伸縮性に乏しいコンポーネントは、その隣の材料とは異なる伸縮状態を示すことができる。例えば、伸縮性に乏しいコンポーネントは、隣の材料の伸びる方向とは異なる方向に且つ／或いは異なる大きさまで伸びることができる。
【００１２】
一実施形態によれば、伸縮性に乏しいコンポーネントは、隣の材料よりも伸縮性が低いのが良い。このようにして形成された衣料品は、例えば身体運動中、ユーザの身体部分の形状及び／又はサイズが変化してもユーザに向上した支持具合及び／又は快適さを提供することができる。追加的に又は代替的に、衣料品は、形状及び／又サイズが互いに異なる身体部分を備えた互いに異なるユーザに適合して互いに異なるユーザに支持具合が良く且つ／或いは快適さのあるフィット感を提供することができる。
【００１３】
さらに、本明細書において、ブラジャーであって、ブラジャーカップと、ブラジャーカップをユーザに当てた状態で支持するブラジャーウイングと、ブラジャーカップ上及び／又はブラジャーウイング上に設けられた少なくとも１つの伸縮性に乏しいコンポーネントとを有することを特徴とするブラジャーが開示される。伸縮性に乏しいコンポーネントは、ブラジャーカップ及び／又はブラジャーウイングの弾性よりも低い弾性を有する。伸縮性に乏しいコンポーネントは、ブラジャーカップが所望の形状を維持することができるようブラジャーカップの一部及びブラジャーウイングの拡張を制限する。
【００１４】
ブラジャーカップ及びブラジャーウイングは、ユーザの身体部分（即ち、女性の乳房）周りにぴったりとフィットしてこれを支持するようになっている。伸縮性に乏しいコンポーネントは、ブラジャーカップの一部分及び／又はブラジャーウイングとして形成できてこれらに支持作用をもたすことができ、その結果、ブラジャーは、ユーザの互いに異なる乳房形状及び／又はサイズに適合すると同時に乳房の形状を維持するよう伸縮可能である。伸縮性に乏しいコンポーネントは、互いに異なる伸縮性を提供するよう種々の形状及び／又はサイズのうちの任意のものの状態で形成できる。
【００１５】
伸縮性に乏しいコンポーネントは、ブラジャーが身体部分のだぶついた形状及び／又は大きなサイズにフィットすることができるよう必要に応じて伸縮性であるのが良く、それにより柔軟性があり且つ／或いは快適な支持具合をユーザに提供する。引き伸ばし後の伸縮性に乏しいコンポーネントは又、縮む能力を有し、ブラジャーがその初期形状及び／又はサイズに戻ることができるようにすることができる。
【００１６】
伸縮性に乏しいコンポーネントは、ユーザに可変柔軟性及び／又は可変支持具合を提供するよう衣料品上の隣の材料の伸縮性とは異なる伸縮性（例えば、異なる弾性率、異なる柔軟性の方向又は他の異なる柔軟性特性等）を有するのが良い。伸縮性コンポーネントは、衣料品の残部を引き伸ばすことができる間、その形状及びサイズを維持する。かかる場合、衣料品の残部は、拡張して着用者の形状及び／又はサイズと「標準形状及び／又はサイズ」のユーザの形状及び／又はサイズとの間の差を許容する一方で、伸縮性に乏しいコンポーネントは、その所定の形状を維持して支持作用をユーザに提供する。
【００１７】
衣料品の種類に応じて、１種類又は２種類以上の伸縮性に乏しい材料を用いて伸縮性に乏しいコンポーネントを形成し、所望の支持作用を提供することができる。理解されるように、伸縮性に乏しいコンポーネントを種々の他の材料で形成することができ、かかる材料は又、本発明の範囲に含まれる。
【００１８】
伸縮性に乏しいコンポーネントを種々の従来方法、例えば縫い付け、締結、接着、スクリーン印刷等によって衣料品の種々の部分（例えば、ブラジャーカップ、ブラジャーウイング等）に接合することができ又は種々の部分上に形成することができる。
【００１９】
これら方法の１つは、スクリーン印刷技術を利用してポリマー樹脂で作られた伸縮性に乏しいコンポーネントを布上にスクリーン印刷することである。まず最初に、所定の支持具合を提供するよう伸縮性に乏しいコンポーネントのパターンのアートワークをデザインすべきである。第２に、アートワークに従ってスクリーン印刷用スクリーンを製作すべきである。ポリマー樹脂を媒体として用いてあらかじめデザインされているスクリーンパターンを布上にプリントアウトすべきである。あらかじめデザインされているパターンがスクリーン印刷された布を裁断して最終製品（例えば、ブラジャーカップ）を作るよう加工すべきである。
【００２０】
別の方法は、布上に塗布される伸縮性に乏しいコンポーネントとしてグルーの膜を塗布することである。最初に、グルーの膜を１枚の剥離紙上にあらかじめ塗布すべきである。次に、所定の支持作用を提供する伸縮性に乏しいコンポーネントのパターンのアートワークをデザインすべきである。第３にデザインされているパターンを備える剥離紙を裁断して布上に置くべきである。第４に剥離紙を布上に熱圧着させるべきであり、そしてグルーを布上に転移させる。あらかじめデザインされているパターンがスクリーン印刷された布を裁断して最終製品（例えば、ブラジャーカップ）を作るよう加工すべきである。
【００２１】
理解されるように、種々の他の方法、例えば縫い付け、締結及び接着を用いて伸縮性に乏しいコンポーネントを衣料品に接合することができ、これら方法は又、本発明の範囲に含まれる。
【００２２】
次に、添付の図面を参照して本発明の好ましい形態を例示として説明する。
【図面の簡単な説明】
【００２３】
【図１】本発明の伸縮性に乏しいコンポーネントを有するブラジャーの斜視図である。
【図２】別のパターン及び形態の伸縮性に乏しいコンポーネントを有するブラジャーの斜視図である。
【発明を実施するための形態】
【００２４】
理解できるように、伸縮性に乏しいコンポーネントを種々の材料で且つ種々の衣料品上に形成することができる。
【００２５】
この例では、伸縮性に乏しいコンポーネントは、ブラジャー上に塗布されたポリマー樹脂で作られている。
【００２６】
添付の図面の図１には、弾性に乏しい材料、例えばポリマー樹脂（これには限定されない）で作られた伸縮性に乏しいコンポーネント２０を有するブラジャー１０が示されている。伸縮性に乏しいコンポーネント２０は、ブラジャーの底の近くに位置するストライプの形態をしている。伸縮性に乏しいコンポーネントをスクリーン印刷により衣料品上に形成することができる。
【００２７】
従来型スクリーン印刷技術を利用して、ポリマー樹脂で作られている伸縮性に乏しいコンポーネント２０を布上にスクリーン印刷する。最初に、所定の支持具合を提供する伸縮性に乏しいコンポーネント２０のパターンのアートワークをデザインする。第２に、スクリーン印刷用スクリーンをアートワークに従って製作し、ポリマー樹脂は、あらかじめデザインされているスクリーンパターンを布上にプリントアウトするよう媒体として用いられる。次に、あらかじめデザインされているパターンがスクリーン印刷されている布を裁断し、そして最終製品、例えば図１に示されているようなブラジャー１０を作るよう加工する。
【００２８】
別のオプションとして、グルーの膜を伸縮性に乏しいコンポーネントとして使用してこれをブラジャー１０上に塗布する。
【００２９】
図２は、正方形３０及びドット４０並びにストライプ５０の形態をした伸縮性に乏しいコンポーネントを有する別の実施形態としてのブラジャー１２を示している。
【００３０】
伸縮性に乏しいコンポーネント２０は、任意の形態又は所望のパターンの状態であって良く、ブラジャーの任意の場所に位置することができる。
【００３１】
加うるに、任意形態又はパターンの伸縮性に乏しいコンポーネント２０は、ブラジャーに限定されることはなく、どのような衣料品上にも被着可能である。
【００３２】
したがって、本発明は、説明した実施形態には限定されず、本発明は、上述の説明並びにその均等例によって示唆される全保護範囲を有するものである。
【符号の説明】
【００３３】
１０    ブラジャー
２０    コンポーネント
３０    正方形
４０    ドット
５０    ストライプ
【図１】
2015063775.tif 000003
【図２】
2015063775.tif 000004